(57)【要約】【課題】複数のデバイスに対して各種プロトコル等の設定項目に対して１回の操作で一括設定することが可能なネットワーク管理装置を提供する。【解決手段】機器列挙部１０１によりＳＮＭＰ／ＭＩＢでアクセス可能なネットワーク装置情報を列挙し、機器情報蓄積部１０３に蓄積する。次に、Ｎｅｔｗａｒｅプロトコル有効／無効Ｏｂｊｅｃｔ存在確認部１０２は、該取得したネットワーク装置情報のネットワーク装置に対してＯｂｊｅｃｔＩＤが存在するか否かを確認する。次に、機器情報蓄積部１０３において「ＯｂｊｅｃｔＩＤあり」と設定されたネットワーク装置情報に対して設定値入力部１０４から入力された設定値が設定される。次に、Ｎｅｔｗａｒｅプロトコル有効／無効ＯｂｊｅｃｔＩＤ設定部１０５は、設定値入力部１０４から入力され設定された設定値を、該当するＯｂｊｅｃｔＩＤを保持するネットワーク装置に対して送信し、該送信された設定値がネットワーク装置に設定される。【選択図】        図５
2004213110.tif 000002
【特許請求の範囲】
【請求項１】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、設定項目を設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、設定項目の設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２】
前記設定項目は、Ｎｅｔｗａｒｅプロトコルを有効化するか否かの設定、ＡｐｐｌｅＴａｌｋプロトコルを有効化するか否かの設定、ＮｅｔＢＥＵＩプロトコルを有効化するか否かの設定、ＵＲＬ名称の設定、ＵＲＬの設定、機器操作部のメニューロックをするか否かの設定、ＴＣＰ／ＩＰのネットワークブートをするか否かの設定、ＷＩＮＳを有効化するか否かの設定、プライマリＷＩＮＳサーバーの設定、セカンダリＷＩＮＳサーバーの設定、ＬＰＲを有効化するか否かの設定、ＲＳＨ／ＲＣＰを有効化するか否かの設定、ＤＩＰＲＩＮＴを有効化するか否かの設定、ＦＴＰを有効化するか否かの設定、ＩＰＰを有効化するか否かの設定、ＳＮＭＰのコミュニティ名の設定、ＳＮＭＰコミュニティのアクセスタイプの設定、ＳＮＭＰコミュニティのプロトコルタイプの設定、ホストのＩＰアドレスの設定、ホストのＩＰＸアドレスの設定、プリンタを所属させるＡｐｐｌｅＴａｌｋの動作ゾーン名の設定、プリンタの所属するＮｅｔＢＥＵＩワークグループの設定、ＮｅｔＢＥＵＩのインターフェースモードの設定、搭載されているトレイの紙種の設定、の少なくとも１つを有して構成されることを特徴とする請求項１記載のネットワーク管理装置。
【請求項３】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、Ｎｅｔｗａｒｅプロトコルを有効化するか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、Ｎｅｔｗａｒｅプロトコルを有効化するか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項４】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＡｐｐｌｅＴａｌｋプロトコルを有効化するか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＡｐｐｌｅＴａｌｋプロトコルを有効化するか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項５】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＮｅｔＢＥＵＩプロトコルを有効化するか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＮｅｔＢＥＵＩプロトコルを有効化するか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項６】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＵＲＬ名称を設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＵＲＬ名称の設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項７】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスからＵＲＬを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＵＲＬの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項８】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、機器操作部のメニューロックをするか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、機器操作部のメニューロックをするか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項９】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＴＣＰ／ＩＰのネットワークブートをするか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＴＣＰ／ＩＰのネットワークブートをするか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１０】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＷＩＮＳを有効にするか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＷＩＮＳを有効にするか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１１】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、プライマリＷＩＮＳサーバーを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、プライマリＷＩＮＳサーバーを設定する設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１２】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、セカンダリＷＩＮＳサーバーを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、セカンダリＷＩＮＳサーバーを設定する設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１３】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＬＰＲを有効化するか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＬＰＲを有効化するか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１４】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、機器操作部のメニューロックをするか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、機器操作部のメニューロックをするか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１５】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＤＩＰＲＩＮＴを有効化するか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＤＩＰＲＩＮＴを有効化するか否かの設定値を入力するＯｂｊｅｃｔＩＤ入力手段と、
されたＯｂｊｅｃｔＩＤを前記デバイスに設定するＯｂｊｅｃｔＩＤ設定手段と、
を有することを特徴とするネットワーク管理装置。
【請求項１６】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＦＴＰを有効化するか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＦＴＰを有効化するか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１７】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＩＰＰを有効化するか否かを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＩＰＰを有効化するか否かの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１８】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＳＮＭＰのコミュニティ名を設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＳＮＭＰのコミュニティ名の設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項１９】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＳＮＭＰコミュニティのアクセスタイプを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＳＮＭＰコミュニティのアクセスタイプの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２０】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＳＮＭＰコミュニティのプロトコルタイプを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＳＮＭＰコミュニティのプロトコルタイプの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２１】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ホストのＩＰアドレスを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ホストのＩＰアドレスの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２２】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ホストのＩＰＸを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ホストのＩＰＸの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２３】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、プリンタを所属させるＡｐｐｌｅＴａｌｋの動作ゾーン名を設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、プリンタを所属させるＡｐｐｌｅＴａｌｋの動作ゾーン名の設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２４】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、プリンタの所属するＮｅｔＢＥＵＩワークグループを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、プリンタの所属するＮｅｔＢＥＵＩワークグループの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２５】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、ＮｅｔＢＥＵＩのインターフェースモードを設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、ＮｅｔＢＥＵＩのインターフェースモードの設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２６】
ＳＮＭＰ／ＭＩＢによる情報取得が可能な少なくとも１つのデバイスとネットワークを介して接続し、前記デバイスの設定項目を設定するネットワーク管理装置であって、
ネットワーク上に接続された前記デバイスを列挙する機器列挙手段と、
前記機器列挙手段により列挙された前記デバイスから、搭載されているトレイの紙種を設定するためのＯｂｊｅｃｔＩＤの存在を確認するＯｂｊｅｃｔＩＤ存在確認手段と、
前記ＯｂｊｅｃｔＩＤ存在確認手段により存在が確認されたＯｂｊｅｃｔＩＤに対して、搭載されているトレイの紙種の設定値を入力するＯｂｊｅｃｔＩＤ入力手段と、
前記ＯｂｊｅｃｔＩＤ入力手段により入力されたＯｂｊｅｃｔＩＤを前記デバイスに設定するＯｂｊｅｃｔＩＤ設定手段と、
を有することを特徴とするネットワーク管理装置。
【請求項２７】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、設定項目を設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、設定項目の設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項２８】
前記設定項目は、Ｎｅｔｗａｒｅプロトコルを有効化するか否かの設定、ＡｐｐｌｅＴａｌｋプロトコルを有効化するか否かの設定、ＮｅｔＢＥＵＩプロトコルを有効化するか否かの設定、ＵＲＬ名称の設定、ＵＲＬの設定、機器操作部のメニューロックをするか否かの設定、ＴＣＰ／ＩＰのネットワークブートをするか否かの設定、ＷＩＮＳを有効化するか否かの設定、プライマリＷＩＮＳサーバーの設定、セカンダリＷＩＮＳサーバーの設定、ＬＰＲを有効化するか否かの設定、ＲＳＨ／ＲＣＰを有効化するか否かの設定、ＤＩＰＲＩＮＴを有効化するか否かの設定、ＦＴＰを有効化するか否かの設定、ＩＰＰを有効化するか否かの設定、ＳＮＭＰのコミュニティ名の設定、ＳＮＭＰコミュニティのアクセスタイプの設定、ＳＮＭＰコミュニティのプロトコルタイプの設定、ホストのＩＰアドレスの設定、ホストのＩＰＸアドレスの設定、プリンタを所属させるＡｐｐｌｅＴａｌｋの動作ゾーン名の設定、プリンタの所属するＮｅｔＢＥＵＩワークグループの設定、ＮｅｔＢＥＵＩのインターフェースモードの設定、搭載されているトレイの紙種の設定、の少なくとも１つを有して構成されていることを特徴とする請求項２７記載のネットワーク管理プログラム。
【請求項２９】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、Ｎｅｔｗａｒｅプロトコルを有効化するか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、Ｎｅｔｗａｒｅプロトコルを有効化するか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３０】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＡｐｐｌｅＴａｌｋプロトコルを有効化するか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＡｐｐｌｅＴａｌｋプロトコルを有効化するか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３１】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＮｅｔＢＥＵＩプロトコルを有効化するか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＮｅｔＢＥＵＩプロトコルを有効化するか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３２】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＵＲＬ名称を設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＵＲＬ名称の設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３３】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスからＵＲＬを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＵＲＬの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３４】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、機器操作部のメニューロックをするか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、機器操作部のメニューロックをするか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３５】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＴＣＰ／ＩＰのネットワークブートをするか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＴＣＰ／ＩＰのネットワークブートをするか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３６】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＷＩＮＳを有効にするか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＷＩＮＳを有効にするか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３７】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、プライマリＷＩＮＳサーバーを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、プライマリＷＩＮＳサーバーを設定する設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３８】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、セカンダリＷＩＮＳサーバーを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、セカンダリＷＩＮＳサーバーを設定する設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項３９】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＬＰＲを有効化するか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＬＰＲを有効化するか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４０】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、機器操作部のメニューロックをするか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、機器操作部のメニューロックをするか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４１】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＤＩＰＲＩＮＴを有効化するか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＤＩＰＲＩＮＴを有効化するか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４２】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＦＴＰを有効化するか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＦＴＰを有効化するか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４３】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＩＰＰを有効化するか否かを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＩＰＰを有効化するか否かの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４４】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＳＮＭＰのコミュニティ名を設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＳＮＭＰのコミュニティ名の設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４５】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＳＮＭＰコミュニティのアクセスタイプを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＳＮＭＰコミュニティのアクセスタイプの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４６】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＳＮＭＰコミュニティのプロトコルタイプを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＳＮＭＰコミュニティのプロトコルタイプの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４７】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ホストのＩＰアドレスを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ホストのＩＰアドレスの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４８】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ホストのＩＰＸを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ホストのＩＰＸの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項４９】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、プリンタを所属させるＡｐｐｌｅＴａｌｋの動作ゾーン名を設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、プリンタを所属させるＡｐｐｌｅＴａｌｋの動作ゾーン名の設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項５０】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、プリンタの所属するＮｅｔＢＥＵＩワークグループを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、プリンタの所属するＮｅｔＢＥＵＩワークグループの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項５１】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、ＮｅｔＢＥＵＩのインターフェースモードを設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、ＮｅｔＢＥＵＩのインターフェースモードの設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項５２】
ＳＮＭＰ／ＭＩＢによる情報取得が可能な少なくとも１つのデバイスとネットワークを介して接続されたネットワーク管理装置において前記デバイスに対する設定項目の設定を実行させるネットワーク管理プログラムであって、
前記ネットワーク管理装置において、
ネットワーク上に接続された前記デバイスを列挙する機器列挙処理と、
前記機器列挙処理により列挙された前記デバイスから、搭載されているトレイの紙種を設定するためのＯｂｊｅｃｔＩＤの存在を確認するＯｂｊｅｃｔＩＤ存在確認処理と、
前記ＯｂｊｅｃｔＩＤ存在確認処理により存在が確認されたＯｂｊｅｃｔＩＤに対して、搭載されているトレイの紙種の設定値を入力するＯｂｊｅｃｔＩＤ入力処理と、
前記ＯｂｊｅｃｔＩＤ入力処理により入力されたＯｂｊｅｃｔＩＤを前記デバイスに設定するＯｂｊｅｃｔＩＤ設定処理と、
を実行させることを特徴とするネットワーク管理プログラム。
【請求項５３】
請求項２７から５２の何れか１項に記載のネットワーク管理プログラムを記録したコンピュータ読み取り可能な記録媒体。
【発明の詳細な説明】
【０００１】
【発明の属する技術分野】
本発明は、ネットワーク管理において、管理対象となる複数のデバイスに対して、各種プロトコル等の設定項目の一括設定が可能なネットワーク管理装置、ネットワーク管理プログム及び記録媒体に関する。
【０００２】
【従来の技術】
ネットワーク管理プロトコルとして広く普及しているＳＮＭＰ（ＳｉｍｐｌｅＮｅｔｗｏｒｋ  Ｍａｎａｇｅｍｅｎｔ  Ｐｒｏｔｏｃｏｌ）においては、ネットワーク上の個々のデバイスに管理情報ベース（ＭＩＢ：Ｍａｎａｇｅｍｅｎｔ  Ｉｎｆｏｒｍａｔｉｏｎ  Ｂａｓｅ）が具備され、そのＭＩＢを利用して、情報の取得や設定が行われる。典型的な例では、ネットワークを管理する側の装置であるＳＮＭＰマネージャ（ネットワーク管理装置）と、管理される側の装置であるネットワーク装置と、がネットワークを介して相互間で接続されているシステムにおいて、ネットワーク管理装置によりネットワーク装置のＭＩＢから必要な情報が取得することで、該取得した情報を基にネットワーク管理が行われ、また、ネットワーク管理装置により各ネットワーク装置のＭＩＢに対して必要な情報の書き込みが行われ、該書き込みが行われた情報を基にネットワーク装置の動作が制御される。なお、ネットワーク装置には、ＭＩＢの管理を行うプロセスが存在する。そのプロセスは、ネットワーク装置の動作状況等を常に監視してＭＩＢの内容を書き換える処理や、ネットワーク管理装置からのリクエストに対する処理を実行する。
【０００３】
ＭＩＢの各情報は、ツリー構造の頂点から選択肢番号列であるオブジェクトＩＤで特定される。なお、１つのオブジェクトＩＤは、必ず１つのオブジェクトに対応している。即ち、オブジェクトＩＤの特定によって情報の操作、参照、設定等を行うことが可能となる。
【０００４】
また、ＭＩＢにおいて、上層の空間は、共通空間であり、一方、下層の一部分の空間は、開放されている。各デバイスのメーカは、その開放空間を利用してデバイスに対する特有の情報設定を可能にしている。それ故、デバイスのメーカや機種が異なると、全体としてのＭＩＢの種類が異なり、このため、後述のように各デバイスに対するオブジェクトＩＤの内容が相違する。つまり、同じオブジェクトであってもＭＩＢの種類が異なれば、それを指定するオブジェクトＩＤは異なる。
【０００５】
また、複数のデバイスがネットワークを介して接続して存在する場合には、１回の操作で、複数のデバイスに対して共通の情報設定を一括して行いたいという要望がある。これは、ネットワークを介して接続された複数のデバイス間で共用できる情報があったとしても、ユーザが１つのデバイスを指定して、該指定したデバイスに対し共用できる情報を設定する操作を、各デバイスに対して繰り返えすこととなるためである。
【０００６】
また、本発明と類似する従来技術として、ネットワーク管理において、管理対象となるネットワーク装置の管理情報のうち、共有可能な項目について一斉に設定できる技術が開示されている（特許文献１参照）。
【０００７】
この特許文献１は、ネットワーク装置の管理項目のうち共用可能な項目についてネットワーク装置に登録しておき、複数のネットワーク装置の管理情報ファイルに対して、共用可能な管理項目の設定値を一斉に設定できるため、複数のネットワークに対して同じ設定操作を繰り返す必要がなく、作業効率を向上させたものである。
【０００８】
【特許文献１】
特開２００２−１３５２５０号公報
【０００９】
【発明が解決しようとする課題】
しかしながら、上記特許文献１においては、共用可能な管理項目については、何ら記載されておらず、具体的な管理項目が開示されていない。
【００１０】
本発明は、上記事情に鑑みてなされたものであり、複数のデバイスに対して各種プロトコル等の設定項目を１回の操作で一括設定することが可能なネットワーク管理装置、ネットワーク管理プログラム及び記録媒体を提供することを目的とする。
【００１１】
【課題を解決するための手段】
かかる目的を達成するために本発明は以下のような特徴を有する。
請求項１記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、設定項目を設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、設定項目の設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００１２】
請求項２記載の発明は、請求項１記載のネットワーク管理装置において、設定項目は、Ｎｅｔｗａｒｅプロトコルを有効化するか否かの設定、ＡｐｐｌｅＴａｌｋプロトコルを有効化するか否かの設定、ＮｅｔＢＥＵＩプロトコルを有効化するか否かの設定、ＵＲＬ名称の設定、ＵＲＬの設定、機器操作部のメニューロックをするか否かの設定、ＴＣＰ／ＩＰのネットワークブートをするか否かの設定、ＷＩＮＳを有効化するか否かの設定、プライマリＷＩＮＳサーバーの設定、セカンダリＷＩＮＳサーバーの設定、ＬＰＲを有効化するか否かの設定、ＲＳＨ／ＲＣＰを有効化するか否かの設定、ＤＩＰＲＩＮＴを有効化するか否かの設定、ＦＴＰを有効化するか否かの設定、ＩＰＰを有効化するか否かの設定、ＳＮＭＰのコミュニティ名の設定、ＳＮＭＰコミュニティのアクセスタイプの設定、ＳＮＭＰコミュニティのプロトコルタイプの設定、ホストのＩＰアドレスの設定、ホストのＩＰＸアドレスの設定、プリンタを所属させるＡｐｐｌｅＴａｌｋの動作ゾーン名の設定、プリンタの所属するＮｅｔＢＥＵＩワークグループの設定、ＮｅｔＢＥＵＩのインターフェースモードの設定、搭載されているトレイの紙種の設定、の少なくとも１つを有して構成されることを特徴とする。
【００１３】
請求項３記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、Ｎｅｔｗａｒｅプロトコルを有効化するか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、Ｎｅｔｗａｒｅプロトコルを有効化するか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００１４】
請求項４記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＡｐｐｌｅＴａｌｋプロトコルを有効化するか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＡｐｐｌｅＴａｌｋプロトコルを有効化するか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００１５】
請求項５記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＮｅｔＢＥＵＩプロトコルを有効化するか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＮｅｔＢＥＵＩプロトコルを有効化するか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００１６】
請求項６記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＵＲＬ名称を設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＵＲＬ名称の設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００１７】
請求項７記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスからＵＲＬを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＵＲＬの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００１８】
請求項８記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、機器操作部のメニューロックをするか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、機器操作部のメニューロックをするか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００１９】
請求項９記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＴＣＰ／ＩＰのネットワークブートをするか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＴＣＰ／ＩＰのネットワークブートをするか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２０】
請求項１０記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＷＩＮＳを有効にするか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＷＩＮＳを有効にするか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２１】
請求項１１記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、プライマリＷＩＮＳサーバーを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、プライマリＷＩＮＳサーバーを設定する設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２２】
請求項１２記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、セカンダリＷＩＮＳサーバーを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、セカンダリＷＩＮＳサーバーを設定する設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２３】
請求項１３記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＬＰＲを有効化するか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＬＰＲを有効化するか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２４】
請求項１４記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、機器操作部のメニューロックをするか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、機器操作部のメニューロックをするか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２５】
請求項１５記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＤＩＰＲＩＮＴを有効化するか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＤＩＰＲＩＮＴを有効化するか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２６】
請求項１６記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＦＴＰを有効化するか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＦＴＰを有効化するか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２７】
請求項１７記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＩＰＰを有効化するか否かを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＩＰＰを有効化するか否かの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２８】
請求項１８記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＳＮＭＰのコミュニティ名を設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＳＮＭＰのコミュニティ名の設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００２９】
請求項１９記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＳＮＭＰコミュニティのアクセスタイプを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＳＮＭＰコミュニティのアクセスタイプの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３０】
請求項２０記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＳＮＭＰコミュニティのプロトコルタイプを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＳＮＭＰコミュニティのプロトコルタイプの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３１】
請求項２１記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ホストのＩＰアドレスを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ホストのＩＰアドレスの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３２】
請求項２２記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ホストのＩＰＸを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ホストのＩＰＸの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３３】
請求項２３記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、プリンタを所属させるＡｐｐｌｅＴａｌｋの動作ゾーン名を設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、プリンタを所属させるＡｐｐｌｅＴａｌｋの動作ゾーン名の設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３４】
請求項２４記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、プリンタの所属するＮｅｔＢＥＵＩワークグループを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、プリンタの所属するＮｅｔＢＥＵＩワークグループの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３５】
請求項２５記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、ＮｅｔＢＥＵＩのインターフェースモードを設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、ＮｅｔＢＥＵＩのインターフェースモードの設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３６】
請求項２６記載の発明は、ＳＮＭＰ／ＭＩＢによる情報取得が可能な少なくとも１つのデバイスとネットワークを介して接続し、デバイスの設定項目を設定するネットワーク管理装置であって、ネットワーク上に接続されたデバイスを列挙する機器列挙手段と、機器列挙手段により列挙されたデバイスから、搭載されているトレイの紙種を設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、搭載されているトレイの紙種の設定値を入力するＯｂｊｅｃｔＩＤ入力手段と、ＯｂｊｅｃｔＩＤ入力手段により入力されたＯｂｊｅｃｔＩＤをデバイスに設定するＯｂｊｅｃｔＩＤ設定手段と、を有することを特徴とする。
【００３７】
請求項２７記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、設定項目を設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、設定項目の設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００３８】
請求項２８記載の発明は、請求項２７記載のネットワーク管理プログラムにおいて、設定項目は、Ｎｅｔｗａｒｅプロトコルを有効化するか否かの設定、ＡｐｐｌｅＴａｌｋプロトコルを有効化するか否かの設定、ＮｅｔＢＥＵＩプロトコルを有効化するか否かの設定、ＵＲＬ名称の設定、ＵＲＬの設定、機器操作部のメニューロックをするか否かの設定、ＴＣＰ／ＩＰのネットワークブートをするか否かの設定、ＷＩＮＳを有効化するか否かの設定、プライマリＷＩＮＳサーバーの設定、セカンダリＷＩＮＳサーバーの設定、ＬＰＲを有効化するか否かの設定、ＲＳＨ／ＲＣＰを有効化するか否かの設定、ＤＩＰＲＩＮＴを有効化するか否かの設定、ＦＴＰを有効化するか否かの設定、ＩＰＰを有効化するか否かの設定、ＳＮＭＰのコミュニティ名の設定、ＳＮＭＰコミュニティのアクセスタイプの設定、ＳＮＭＰコミュニティのプロトコルタイプの設定、ホストのＩＰアドレスの設定、ホストのＩＰＸアドレスの設定、プリンタを所属させるＡｐｐｌｅＴａｌｋの動作ゾーン名の設定、プリンタの所属するＮｅｔＢＥＵＩワークグループの設定、ＮｅｔＢＥＵＩのインターフェースモードの設定、搭載されているトレイの紙種の設定、の少なくとも１つを有して構成されていることを特徴とする。
【００３９】
請求項２９記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、Ｎｅｔｗａｒｅプロトコルを有効化するか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、Ｎｅｔｗａｒｅプロトコルを有効化するか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４０】
請求項３０記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＡｐｐｌｅＴａｌｋプロトコルを有効化するか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＡｐｐｌｅＴａｌｋプロトコルを有効化するか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４１】
請求項３１記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＮｅｔＢＥＵＩプロトコルを有効化するか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＮｅｔＢＥＵＩプロトコルを有効化するか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４２】
請求項３２記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＵＲＬ名称を設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＵＲＬ名称の設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４３】
請求項３３記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスからＵＲＬを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＵＲＬの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４４】
請求項３４記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、機器操作部のメニューロックをするか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、機器操作部のメニューロックをするか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４５】
請求項３５記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＴＣＰ／ＩＰのネットワークブートをするか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＴＣＰ／ＩＰのネットワークブートをするか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４６】
請求項３６記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＷＩＮＳを有効にするか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＷＩＮＳを有効にするか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４７】
請求項３７記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、プライマリＷＩＮＳサーバーを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、プライマリＷＩＮＳサーバーを設定する設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４８】
請求項３８記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、セカンダリＷＩＮＳサーバーを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、セカンダリＷＩＮＳサーバーを設定する設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００４９】
請求項３９記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＬＰＲを有効化するか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＬＰＲを有効化するか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５０】
請求項４０記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、機器操作部のメニューロックをするか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、機器操作部のメニューロックをするか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５１】
請求項４１記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＤＩＰＲＩＮＴを有効化するか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＤＩＰＲＩＮＴを有効化するか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５２】
請求項４２記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＦＴＰを有効化するか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＦＴＰを有効化するか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５３】
請求項４３記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＩＰＰを有効化するか否かを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＩＰＰを有効化するか否かの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５４】
請求項４４記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＳＮＭＰのコミュニティ名を設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＳＮＭＰのコミュニティ名の設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする
【００５５】
請求項４５記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＳＮＭＰコミュニティのアクセスタイプを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＳＮＭＰコミュニティのアクセスタイプの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５６】
請求項４６記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＳＮＭＰコミュニティのプロトコルタイプを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＳＮＭＰコミュニティのプロトコルタイプの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５７】
請求項４７記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ホストのＩＰアドレスを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ホストのＩＰアドレスの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５８】
請求項４８記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ホストのＩＰＸを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ホストのＩＰＸの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００５９】
請求項４９記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、プリンタを所属させるＡｐｐｌｅＴａｌｋの動作ゾーン名を設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、プリンタを所属させるＡｐｐｌｅＴａｌｋの動作ゾーン名の設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００６０】
請求項５０記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、プリンタの所属するＮｅｔＢＥＵＩワークグループを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、プリンタの所属するＮｅｔＢＥＵＩワークグループの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００６１】
請求項５１記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、ＮｅｔＢＥＵＩのインターフェースモードを設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、ＮｅｔＢＥＵＩのインターフェースモードの設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００６２】
請求項５２記載の発明は、ＳＮＭＰ／ＭＩＢによる情報取得が可能な少なくとも１つのデバイスとネットワークを介して接続されたネットワーク管理装置においてデバイスに対する設定項目の設定を実行させるネットワーク管理プログラムであって、ネットワーク管理装置において、ネットワーク上に接続されたデバイスを列挙する機器列挙処理と、機器列挙処理により列挙されたデバイスから、搭載されているトレイの紙種を設定するためのＯｂｊｅｃｔＩＤの存在を確認するＯｂｊｅｃｔＩＤ存在確認処理と、ＯｂｊｅｃｔＩＤ存在確認処理により存在が確認されたＯｂｊｅｃｔＩＤに対して、搭載されているトレイの紙種の設定値を入力するＯｂｊｅｃｔＩＤ入力処理と、ＯｂｊｅｃｔＩＤ入力処理により入力されたＯｂｊｅｃｔＩＤをデバイスに設定するＯｂｊｅｃｔＩＤ設定処理と、を実行させることを特徴とする。
【００６３】
請求項５３記載の発明は、請求項２７から５２の何れか１項に記載のネットワーク管理プログラムをコンピュータ読み取り可能な記録媒体に記録したことを特徴とする。
【００６４】
【発明の実施の形態】
以下、添付図面を参照しながら本発明にかかる実施の形態について詳細に説明する。
【００６５】
（第１の実施の形態）
まず、第１の実施の形態におけるネットワーク管理装置について説明する。
ネットワーク装置が保持する「Ｎｅｔｗａｒｅプロトコルを有効化する／しない」という設定は、ネットワークを介してネットワーク管理装置（ＰＣ）から設定変更することが可能だが、複数のネットワーク装置が存在した場合、１回の操作で全てのネットワーク装置に同じ設定を行いたいという要望がある。
第１の実施の形態におけるネットワーク管理装置は、ネットワーク経由で、複数台のネットワーク装置に対して一括で設定変更を行うための手法を提供する。
【００６６】
まず、図１を参照しながら、本発明にかかるシステム構成について説明する。本発明にかかるネットワーク管理システムは、ＳＮＭＰ／ＭＩＢにより、各デバイスに対してアクセス可能なＰＣ１と、少なくとも１つのプリンタ２1〜nと、がＬＡＮ等のネットワークを介して接続された構成をとる。
【００６７】
次に、図２を参照しながら本発明にかかるネットワーク管理装置となるＰＣ１の構成について説明する。
ＰＣ１は、機器列挙部１０１と、Ｎｅｔｗａｒｅプロトコル有効／無効ＯｂｊｅｃｔＩＤ存在確認部１０２と、機器情報蓄積部１０３と、設定値入力部１０４と、Ｎｅｔｗａｒｅプロトコル有効／無効ＯｂｊｅｃｔＩＤ設定部１０５と、を有して構成される。
機器列挙部１０１は、ＳＮＭＰ／ＭＩＢでアクセス可能な、ネットワークに接続されたプリンタ２1〜n等のネットワーク装置を列挙し、機器情報蓄積部１０３に蓄積する。
なお、機器列挙部１０１において、ネットワーク装置を列挙する方法としては、ＢｒｏａｄｃａｓｔやＰｉｎｇＳｗｅｅｐ等の手法で列挙する方法が挙げられる。
Ｎｅｔｗａｒｅプロトコル有効／無効ＯｂｊｅｃｔＩＤ存在確認部１０２は、Ｎｅｔｗａｒｅプロトコル有効／無効の設定に対応するＯｂｊｅｃｔＩＤを読み取ることで取得した設定情報を機器情報蓄積部１０３に反映する。
機器情報蓄積部１０３は、ネットワーク装置の設定情報を蓄積する領域である。なお、フォーマット例を図３に示す。
【００６８】
図３に示すように、ネットワーク装置の設定情報としては、ＩＰ  Ａｄｄｒｅｓｓ、Ｐｒｏｔｏｃｏｌ  Ｎｅｔｗａｒｅ、Ｐｒｏｔｏｃｏｌ  Ａｐｐｌｅ  Ｔａｌｋ、Ｐｒｏｔｏｃｏｌ  ＮｅｔＢＥＵＩ、ＵＲＬ  Ｎａｍｅ、ＵＲＬ、Ｌｏｃｋ  Ｏｐｅｒａｔｉｏｎ  Ｐａｎｅｌ、Ｎｅｔｗｏｒｋ  Ｂｏｏｔ、等が挙げられる。
即ち、本発明にかかる、Ｎｅｔｗａｒｅプロトコルを有効化するか否かの設定、ＡｐｐｌｅＴａｌｋプロトコルを有効化するか否かの設定、ＮｅｔＢＥＵＩプロトコルを有効化するか否かの設定、ＵＲＬ名称の設定、ＵＲＬの設定、機器操作部のメニューロックをするか否かの設定、ＴＣＰ／ＩＰのネットワークブートをするか否かの設定、ＷＩＮＳを有効化するか否かの設定、プライマリＷＩＮＳサーバーの設定、セカンダリＷＩＮＳサーバーの設定、ＬＰＲを有効化するか否かの設定、ＲＳＨ／ＲＣＰを有効化するか否かの設定、ＤＩＰＲＩＮＴを有効化するか否かの設定、ＦＴＰを有効化するか否かの設定、ＩＰＰを有効化するか否かの設定、ＳＮＭＰのコミュニティ名の設定、ＳＮＭＰコミュニティのアクセスタイプの設定、ＳＮＭＰコミュニティのプロトコルタイプの設定、ホストのＩＰアドレスの設定、ホストのＩＰＸアドレスの設定、プリンタを所属させるＡｐｐｌｅＴａｌｋの動作ゾーン名の設定、プリンタの所属するＮｅｔＢＥＵＩワークグループの設定、ＮｅｔＢＥＵＩのインターフェースモードの設定、搭載されているトレイの紙種の設定に関する設定情報が蓄積される。
このように機器情報蓄積部１０３は、図３に示すようにネットワーク装置の設定情報が蓄積されており、該蓄積した設定情報を基にネットワーク装置を管理している。
【００６９】
設定値入力部１０４は、ネットワーク装置に設定する値を入力する。この設定値入力部１０４により入力されたユーザインタフェースの構成例を図４に示す。
なお、機器情報蓄積部１０３に蓄積されたネットワーク装置のうち、Ｎｅｔｗａｒｅプロトコル有効／無効ＯｂｊｅｃｔＩＤが存在しないと判定されたネットワーク装置に対しては入力不可とする。
Ｎｅｔｗａｒｅプロトコル有効／無効ＯｂｊｅｃｔＩＤ設定部１０５は、Ｎｅｔｗａｒｅプロトコル有効／無効の設定に対応するＯｂｊｅｃｔＩＤに対して、設定値入力部１０４により入力された値を設定する。
【００７０】
プリンタ２1〜nは、「Ｎｅｔｗａｒｅプロトコルを有効化する／しない」を設定するためのＭＩＢ  ＯｂｊｅｃｔＩＤを保持しており、該ＭＩＢ  ＯｂｊｅｃｔＩＤを基にＰＣ１がプリンタ２1〜nの機能を管理することとなる。
【００７１】
次に、図５を参照しながら上記構成からなるネットワーク管理装置（ＰＣ）の具備する設定値入力部１０４により入力された設定値がネットワークを介して接続されたネットワーク装置（プリンタ）に対して設定されるまでの処理動作を説明する。
【００７２】
まず、機器列挙部１０１により、ネットワークを介して接続された少なくとも１つのネットワーク装置から、ＳＮＭＰ／ＭＩＢでアクセス可能なネットワーク装置情報を取得し、該取得したネットワーク装置情報を列挙し、機器情報蓄積部１０３に蓄積する（ステップＳ１）。次に、Ｎｅｔｗａｒｅプロトコル有効／無効Ｏｂｊｅｃｔ存在確認部１０２は、該取得したネットワーク装置情報のネットワーク装置に対してＯｂｊｅｃｔＩＤが存在するか否かを確認する。該確認により、ＯｂｊｅｃｔＩＤが存在すると判定した場合には、機器情報蓄積部１０３に対して「ＯｂｊｅｃｔＩＤあり」を反映する情報を設定する。即ち、「Ｎｅｔｗａｒｅプロトコルを有効化する／しない」を設定することができる旨の情報が設定される。また、該確認により、ＯｂｊｅｃｔＩＤが存在しないと判定した場合には、機器情報蓄積部１０３に対して「ＯｂｊｅｃｔＩＤなし」を反映する情報を設定する。即ち、「Ｎｅｔｗａｒｅプロトコルを有効化する／しない」を設定することができない旨の情報が設定される。この処理を、機器情報蓄積部１０３に蓄積したネットワーク装置情報のネットワーク装置の数だけループする（ステップＳ２）。
【００７３】
次に、機器情報蓄積部１０３において「ＯｂｊｅｃｔＩＤあり」と設定されたネットワーク装置情報に対して設定値入力部１０４から入力された設定値が設定される（ステップＳ３）。これにより、ＯｂｊｅｃｔＩＤに対して、「Ｎｅｔｗａｒｅプロトコルを有効化する／しない」を決定するための設定値が設定される。次に、Ｎｅｔｗａｒｅプロトコル有効／無効ＯｂｊｅｃｔＩＤ設定部１０５は、設定値入力部１０４から入力され設定された設定値を、該当するＯｂｊｅｃｔＩＤを保持するネットワーク装置に対して送信し、該送信された設定値がネットワーク装置に設定される。この設定処理を、機器情報蓄積部１０３に保持するネットワーク装置情報のネットワーク装置の数だけループする（ステップＳ４）。
【００７４】
このように、ネットワークを介して接続されたデバイスにＯｂｊｅｃｔＩＤが存在するか否かを確認し、該確認により、ＯｂｊｅｃｔＩＤが存在する機器に対して、ＮｅｔＷａｒｅプロトコルを有効化するか否かを設定するための設定値を入力し、該入力された設定値をＯｂｊｅｃｔＩＤが存在する機器に対して送信することで、一括して設定変更することが可能となる。
【００７５】
なお、機器列挙部１０１は、Ｂｒｏａｄｃａｓｔ、ＰｉｎｇＳｗｅｅｐ等の手段により自動的に探してくるように設定することが可能である。
また、Ｎｅｔｗａｒｅプロトコル有効／無効ＯｂｊｅｃｔＩＤ存在確認部１０２は、ＳＮＭＰ／ＭＩＢの仕様として、ＭＩＢ  ＯｂｊｅｃｔＩＤが存在しないネットワーク装置に対してエラー判定が返信されてくるので、そのエラー判定により存在を確認することが可能となる。
なお、Ｎｅｔｗａｒｅプロトコル有効／無効ＯｂｊｅｃｔＩＤ存在確認部１０２におけるＯｂｊｅｃｔＩＤは、例えば、ＩＤが０ｏｒ１の時に有効ｏｒ無効を決定することも可能となる。
設定値入力部１０４としては、例えば、図４では、「Ｐｒｏｔｏｃｏｌ  Ｎｅｔｗａｒｅ」等のドロップダウンメニューでＥｎａｂｌｅを選択する。即ち、図４に示すＤｉｓａｂｌｅの項目に対して、チェックするか、または、チェックをしないかにより、ＥｎａｂｌｅかＤｉｓａｂｌｅかを決定する。
Ｎｅｔｗａｒｅプロトコル有効／無効ｏｂｊｅｃｔＩＤ設定部１０５は、設定値入力部１０４で入力した設定値により、有効／無効に対応するＯｂｊｅｃｔＩＤが書き換える。この時、図３のプロトコルのＯＮ／ＯＦＦも書き換えられる。即ち、ＯｂｊｅｃｔＩＤを書き換えることと、プロトコルのＯＮ／ＯＦＦを切り換えることは等化となる。
【００７６】
（第２の実施の形態）
次に、第２の実施の形態について説明する。
ネットワーク装置が持っている「ＡｐｐｌｅＴａｌｋプロトコルを有効化する／しない」という設定は、ネットワークを介してネットワーク管理装置（ＰＣ）から設定変更することが可能だが、複数台のネットワーク装置が存在した場合、１回の操作で、全てのネットワーク装置に同じ設定を行いたいという要望がある。
第２の実施の形態におけるネットワーク管理装置は、ネットワーク経由で、複数台のネットワーク装置に対して一括で設定変更を行うための手法を提供する。
【００７７】
第２の実施の形態は、ＬＡＮ等のネットワークを介してＳＮＭＰ／ＭＩＢによる情報取得ができる少なくとも１つのプリンタとＰＣとが接続されたネットワークシステムにおいて、プリンタには「ＡｐｐｌｅＴａｌｋプロトコルを有効化する／しない」を設定するためのＭＩＢ  ＯｂｊｅｃｔＩＤが存在し、ＰＣには、ネットワーク上に接続された機器を列挙するための機器列挙手段と、「ＡｐｐｌｅＴａｌｋプロトコルを有効化する／しない」ＭＩＢ  ＯｂｊｅｃｔＩＤが機器に存在することを確認するＭＩＢ  ｏｂｊｅｃｔＩＤ存在確認手段と、「ＡｐｐｌｅＴａｌｋプロトコルを有効化する／しない」設定値を入力させる設定値入力手段と、「ＡｐｐｌｅＴａｌｋプロトコルを有効化する／しない」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＡｐｐｌｅＴａｌｋプロトコルを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＡｐｐｌｅＴａｌｋプロトコルを有効化する／しない」の設定に対応するＯｂｊｅｃｔＩＤに対して、設定入力部１０４で指定した値を設定することとなる。
【００７８】
（第３の実施の形態）
次に、第３の実施の形態について説明する。
ネットワーク装置が持っている「ＮｅｔＢＥＵＩプロトコルを有効化する／しない」という設定は、ネットワークを介してネットワーク管理装置（ＰＣ）から設定変更することが可能だが、複数台のネットワーク装置が存在した場合、１回の操作で、全てのネットワーク装置に対して同じ設定を行いたいという要望がある。
第３の実施の形態におけるネットワーク管理装置は、ネットワーク経由で、複数のネットワーク装置に対して一括で設定変更を行うための手法を提供する。
【００７９】
第３の実施の形態は、ＬＡＮ等のネットワークを介してＳＮＭＰ／ＭＩＢによる情報取得ができる少なくとも１つのプリンタとＰＣとが接続されたネットワークシステムにおいて、プリンタには「ＮｅｔＢＥＵＩプロトコルを有効化する／しない」を設定するためのＭＩＢ  ＯｂｊｅｃｔＩＤが存在し、ＰＣには、ネットワーク上に接続された機器を列挙するための機器列挙手段と、「ＮｅｔＢＥＵＩプロトコルを有効化する／しない」ＭＩＢ  ＯｂｊｅｃｔＩＤが機器に存在することを確認するためのＭＩＢ  ＯｂｊｅｃｔＩＤ存在確認手段と、「ＮｅｔＢＥＵＩプロトコルを有効化する／しない」設定値を入力させる設定値入力手段と、「ＮｅｔＢＥＵＩプロトコルを有効化する／しない」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＮｅｔＢＥＵＩプロトコルを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＮｅｔＢＥＵＩプロトコルを有効化する／しない」の設定に対応するＯｂｊｅｃｔＩＤに対して、設定入力部１０４で指定した値を設定することとなる。
【００８０】
（第４の実施の形態）
次に、第４の実施の形態について説明する。
ネットワーク装置が持っている「ＵＲＬ名称」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第４の実施の形態におけるネットワーク管理装置は、ネットワーク経由で、複数台のネットワーク装置に対して一括で設定変更を行うための手法を提供する。
【００８１】
第４の実施の形態におけるネットワーク管理装置は、ＬＡＮ等のネットワークを介してＳＮＭＰ／ＭＩＢによる情報取得ができる少なくとも１つのプリンタとＰＣとが接続されたネットワークシステムにおいて、プリンタには「ＵＲＬ名称」を設定するためのＭＩＢ  ＯｂｊｅｃｔＩＤが存在し、ＰＣには、ネットワーク上に接続された機器を列挙するための機器列挙手段と、「ＵＲＬ名称」ＭＩＢＯｂｊｅｃｔＩＤが機器に存在することを確認するためのＭＩＢ  ＯｂｊｅｃｔＩＤ存在確認手段と、「ＵＲＬ名称」設定値を入力させるための設定値入力手段と、「ＵＲＬ名称」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＵＲＬ名称」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＵＲＬ名称」の設定に対応するＯｂｊｅｃｔＩＤに対して、設定入力部１０４で指定した値を設定することとなる。
【００８２】
（第５の実施の形態）
次に、第５の実施の形態について説明する。
ネットワーク装置が持っている「ＵＲＬ」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第５の実施の形態におけるネットワーク管理装置は、ネットワーク経由で、複数のネットワーク装置に対して一括で設定変更を行うための手法を提供する。
【００８３】
第５の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＵＲＬ」を設定するためのＭＩＢ  ＯｂｊｅｃｔＩＤが存在し、ＰＣには、ネットワーク上から機器を列挙するための機器列挙手段と、「ＵＲＬ」ＭＩＢ  ＯｂｊｅｃｔＩＤが機器に存在することを確認するためのＭＩＢ  ＯｂｊｅｃｔＩＤ存在確認手段と、「ＵＲＬ」設定値を入力させるための設定値入力手段と、「ＵＲＬ」  ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＵＲＬ」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＵＲＬ」の設定に対応するＯｂｊｅｃｔＩＤに対して、設定入力部１０４で指定した値を設定することとなる。
【００８４】
（第６の実施の形態）
次に、第６の実施の形態について説明する。
ネットワーク装置が持っている「機器操作部のメニューロックをする／しない」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第６の実施の形態におけるネットワーク管理装置は、ネットワーク経由で、複数台のネットワーク装置に対して一括で設定変更を行うための手法を提供する。
【００８５】
第６の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「機器操作部のメニューロックをする／しない」を設定するためのＭＩＢ  ＯｂｊｅｃｔＩＤが存在し、ＰＣには、ネットワーク上に接続された機器を列挙する機器列挙手段と、「機器操作部のメニューロックをする／しない」ＭＩＢ  ＯｂｊｅｃｔＩＤが機器に存在することを確認するためのＭＩＢ  ＯｂｊｅｃｔＩＤ存在確認手段と、「機器操作部のメニューロックをする／しない」設定値を入力させる設定値入力手段と、「機器操作部のメニューロックをする／しない」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「機器操作部のメニューをロックする／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「機器操作部のメニューをロックする／しない」の設定に対応するＯｂｊｅｃｔＩＤに対して、設定入力部１０４で指定した値を設定することとなる。
【００８６】
（第７の実施の形態）
次に、第７の実施の形態について説明する。
ネットワーク装置が持っている「ＴＣＰ／ＩＰのネットワークブートをする／しない」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第７の実施の形態におけるネットワーク管理装置は、ネットワーク経由で、複数台のネットワーク装置に対して一括で設定変更を行うための手法を提供する。
【００８７】
第７の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＴＣＰ／ＩＰのネットワークブートをする／しない」を設定するためのＭＩＢ  ＯｂｊｅｃｔＩＤが存在し、ＰＣには、ネットワーク上に接続された機器を列挙するための機器列挙手段と、「ＴＣＰ／ＩＰのネットワークブートをする／しない」ＭＩＢ  ＯｂｊｅｃｔＩＤが機器に存在することを確認するためのＭＩＢ  ＯｂｊｅｃｔＩＤ存在確認手段と、「ＴＣＰ／ＩＰのネットワークブートをする／しない」設定値を入力させるための設定値入力手段と、「ＴＣＰ／ＩＰのネットワークブートをする／しない」ＭＩＢ  ＯｂｊｅｃｔＩＤに設定値を反映するためのＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＴＣＰ／ＩＰのネットワークブートをする／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＴＣＰ／ＩＰのネットワークブートをする／しない」の設定に対応するＯｂｊｅｃｔＩＤに対して、設定入力部１０４で指定した値を設定することとなる。
【００８８】
（第８の実施の形態）
次に第８の実施の形態について説明する。
ネットワーク装置が持っている「ＷＩＮＳを有効にする／しない」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第８の実施の形態におけるネットワーク管理装置は、ネットワーク経由で、複数台のネットワーク装置に対して一括で設定変更を行うための手法を提供する。
【００８９】
第８の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＷＩＮＳを有効にする／しない」を設定するためのＭＩＢ  ＯｂｊｅｃｔＩＤが存在し、ＰＣには、ネットワーク上に接続された機器を列挙するための機器列挙手段と、「ＷＩＮＳを有効にする／しない」ＭＩＢ  ＯｂｊｅｃｔＩＤが機器に存在することを確認するＭＩＢ  ＯｂｊｅｃｔＩＤ存在確認手段と、「ＷＩＮＳを有効にする／しない」設定値を入力させる設定値入力手段と、「ＷＩＮＳを有効にする／しない」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＷＩＮＳを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＷＩＮＳを有効化する／しない」の設定に対応するＯｂｊｅｃｔＩＤに対して、設定入力部１０４で指定した値を設定することとなる。
【００９０】
（第９の実施の形態）
次に、第９の実施の形態について説明する。
ネットワーク装置が持っている「プライマリＷＩＮＳサーバー」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第９の実施の形態におけるネットワーク管理装置は、ネットワーク経由で、複数台のネットワーク装置に対して一括で設定変更を行うための手法を提供する。
【００９１】
第９の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「プライマリＷＩＮＳサーバー」を設定するためのＭＩＢ  ＯｂｊｅｃｔＩＤが存在し、ＰＣには、ネットワーク上に接続された機器を列挙するための機器列挙手段と、「プライマリＷＩＮＳサーバー」ＭＩＢ  ＯｂｊｅｃｔＩＤが機器に存在することを確認するためのＭＩＢ  ＯｂｊｅｃｔＩＤ存在確認手段と、「プライマリＷＩＮＳサーバー」設定値を入力させる設定値入力手段と、「プライマリＷＩＮＳサーバー」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「プライマリＷＩＮＳサーバー」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「プライマリＷＩＮＳサーバー」の設定に対応するＯｂｊｅｃｔＩＤに対して、設定入力部１０４で指定した値を設定することとなる。
【００９２】
（第１０の実施の形態）
次に、第１０の実施の形態について説明する。
ネットワーク装置が持っている「セカンダリＷＩＮＳサーバー」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第１０の実施の形態におけるネットワーク管理装置は、ネットワーク経由で、複数台のネットワーク装置に対して一括で設定変更を行うための手法を提供する。
【００９３】
第１０の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「セカンダリＷＩＮＳサーバー」を設定するためのＭＩＢ  Ｏｂｊｅｃｔｉｄが存在し、ネットワーク上に接続された機器を列挙するための機器列挙手段と、「セカンダリＷＩＮＳサーバー」ＭＩＢ  ＯｂｊｅｃｔＩＤが機器に存在することを確認するためのＭＩＢ  ＯｂｊｅｃｔＩＤ存在確認手段と、「セカンダリＷＩＮＳサーバー」設定値を入力させるための設定値入力手段と、「セカンダリＷＩＮＳサーバー」ＭＩＢ  ＯｂｊｅｃｔＩＤに設定値を反映するためのＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「セカンダリＷＩＮＳサーバー」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「セカンダリＷＩＮＳサーバー」の設定に対応するＯｂｊｅｃｔＩＤに対して、設定入力部１０４で指定した値を設定することとなる。
【００９４】
（第１１の実施の形態）
次に、第１１の実施の形態について説明する。
ネットワーク装置が持っている「ＬＰＲを有効化する／しない」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第１１の実施の形態におけるネットワーク管理装置は、ネットワーク経由で、複数台のネットワーク装置に対して一括で設定変更を行うための手法を提供する。
【００９５】
第１１の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＬＰＲを有効化する／しない」を設定するためのＭＩＢ  ＯｂｊｅｃｔＩＤが存在し、ＰＣには、ネットワーク上に接続された機器を列挙するための機器列挙手段と、「ＬＰＲを有効化する／しない」ＭＩＢ  ＯｂｊｅｃｔＩＤが機器に存在することを確認するためのＭＩＢ  ＯｂｊｅｃｔＩＤ存在確認手段と、「ＬＰＲを有効化する／しない」設定値を入力させる設定値入力手段と、「ＬＰＲを有効化する／しない」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＬＰＲを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＬＰＲを有効化する／しない」の設定に対応するＯｂｊｅｃｔＩＤに対して、設定入力部１０４で指定した値を設定することとなる。
【００９６】
（第１２の実施の形態）
次に、第１２の実施の形態について説明する。
ネットワーク装置が持っている「ＲＳＨ／ＲＣＰを有効化する／しない」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第１２の実施の形態におけるネットワーク管理装置は、ネットワーク経由で、複数台のネットワーク装置に対して一括で設定変更を行うための手法を提供する。
【００９７】
第１２の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＲＳＨ／ＲＣＰを有効化する／しない」を設定するためのＭＩＢ  ＯｂｊｅｃｔＩＤが存在し、ＰＣには、ネットワーク上に接続された機器を列挙するための機器列挙手段と、「ＲＳＨ／ＲＣＰを有効化する／しない」ＭＩＢ  ＯｂｊｅｃｔＩＤ存在確認手段と、ＭＩＢ  ＯｂｊｅｃｔＩＤが機器に存在することを確認する「ＲＳＨ／ＲＣＰを有効化する／しない」設定値を入力させるための設定値入力手段と、「ＲＳＨ／ＲＣＰを有効化する／しない」ＭＩＢ  ＯｂｊｅｃｔＩＤに設定値を反映するＭＩＢＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＲＳＨ／ＲＣＰを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＲＳＨ／ＲＣＰを有効化する／しない」の設定に対応するＯｂｊｅｃｔＩＤに対して、設定入力部１０４で指定した値を設定することとなる。
【００９８】
（第１３の実施の形態）
次に、第１３の実施の形態について説明する。
ネットワーク装置が持っている「ＤＩＰＲＩＮＴを有効化する／しない」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第１３の実施の形態におけるネットワーク管理装置は、ネットワーク経由で、複数台のネットワーク装置に対して一括で設定変更を行うための手法を提供する。
【００９９】
第１３の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＤＩＰＲＩＮＴを有効化する／しない」を設定するためのＭＩＢ  ＯｂｊｅｃｔＩＤが存在し、ＰＣには、ネットワーク上から機器を列挙するための機器列挙手段と、「ＤＩＰＲＩＮＴを有効化する／しない」ＭＩＢ  ＯｂｊｅｃｔＩＤが機器に存在することを確認するためのＭＩＢ  ＯｂｊｅｃｔＩＤ存在確認手段と、「ＤＩＰＲＩＮＴを有効化する／しない」設定値を入力させる設定値入力手段と、「ＤＩＰＲＩＮＴを有効化する／しない」ＭＩＢ  ＯｂｊｅｃｔＩＤに設定値を反映するためのＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＤＩＰＲＩＮＴを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＤＩＰＲＩＮＴを有効化する／しない」の設定に対応するＯｂｊｅｃｔＩＤに対して、設定入力部１０４で指定した値を設定することとなる。
【０１００】
（第１４の実施の形態）
次に、第１４の実施の形態について説明する。
ネットワーク装置が持っている「ＦＴＰを有効化する／しない」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第１４の実施の形態におけるネットワーク管理装置は、ネットワーク経由で、複数台のネットワーク装置に対して一括で設定変更を行うための手法を提供する。
【０１０１】
第１４の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＦＴＰを有効化する／しない」を設定するためのＭＩＢ  ＯｂｊｅｃｔＩＤが存在し、ＰＣには、ネットワーク上に接続された機器を列挙するための機器列挙手段と、「ＦＴＰを有効化する／しない」ＭＩＢ  ＯｂｊｅｃｔＩＤが機器に存在することを確認するＭＩＢＯｂｊｅｃｔＩＤ存在確認手段と、「ＦＴＰを有効化する／しない」設定値を入力させる設置値入力手段と、「ＦＴＰを有効化する／しない」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＦＴＰを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＦＴＰを有効化する／しない」の設定に対応するＯｂｊｅｃｔＩＤに対して、設定入力部１０４で指定した値を設定することとなる。
【０１０２】
（第１５の実施の形態）
次に、第１５の実施の形態について説明する。
ネットワーク装置が持っている「ＩＰＰを有効化する／しない」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第１５の実施の形態におけるネットワーク管理装置は、ネットワーク経由で、複数台のネットワーク装置に対して一括で設定変更を行うための手法を提供する。
【０１０３】
第１５の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＩＰＰを有効化する／しない」を設定するためのＭＩＢ  ＯｂｊｅｃｔＩＤが存在し、ＰＣには、ネットワーク上に接続された機器を列挙するための機器列挙手段と、「ＩＰＰを有効化する／しない」ＭＩＢ  ＯｂｊｅｃｔＩＤが機器に存在することを確認するためのＭＩＢ  ＯｂｊｅｃｔＩＤ存在確認手段と、「ＩＰＰを有効化する／しない」設定値を入力させるための設定値手段と、「ＩＰＰを有効化する／しない」ＭＩＢＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＩＰＰを有効化する／しない」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＩＰＰを有効化する／しない」の設定に対応するＯｂｊｅｃｔＩＤに対して、設定入力部１０４で指定した値を設定することとなる。
【０１０４】
（第１６の実施の形態）
次に、第１６の実施の形態について説明する。
ネットワーク装置が持っている「ＳＮＭＰのコミュニティ名」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第１６の実施の形態におけるネットワーク管理装置は、ネットワーク経由で、複数台のネットワーク装置に対して一括で設定変更を行うための手法を提供する。
【０１０５】
第１６の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＳＮＭＰのコミュニティ名」を設定するためのＭＩＢ  ＯｂｊｅｃｔＩＤが存在し、ＰＣには、ネットワーク上に接続された機器を列挙するための機器列挙手段と、「ＳＮＭＰのコミュニティ名」ＭＩＢ  ＯｂｊｅｃｔＩＤが機器に存在することを確認するＭＩＢ  ＯｂｊｅｃｔＩＤ存在確認手段と、「ＳＮＭＰのコミュニティ名」設定値を入力させる設定値入力手段と、「ＳＮＭＰのコミュニティ名」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＳＮＭＰのコミュニティ名」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＳＮＭＰのコミュニティ名」の設定に対応するＯｂｊｅｃｔＩＤに対して、設定入力部１０４で指定した値を設定することとなる。
【０１０６】
（第１７の実施の形態）
次に、第１７の実施の形態について説明する。
ネットワーク装置が持っている「ＳＮＭＰコミュニティのアクセスタイプ」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第１７の実施の形態におけるネットワーク管理装置は、ネットワーク経由で、複数台のネットワーク装置に対して一括で設定変更を行うための手法を提供する。
【０１０７】
第１７の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＳＮＭＰコミュニティのアクセスタイプ」を設定するためのＭＩＢ  ＯｂｊｅｃｔＩＤが存在し、ＰＣには、ネットワーク上に接続された機器を列挙するための機器列挙手段と、「ＳＮＭＰコミュニティのアクセスタイプ」ＭＩＢ  ＯｂｊｅｃｔＩＤが機器に存在することを確認するためのＭＩＢ  ＯｂｊｅｃｔＩＤ存在確認手段と、「ＳＮＭＰコミュニティのアクセスタイプ」設定値を入力させるための設定値入力手段と、「ＳＮＭＰコミュニティのアクセスタイプ」ＭＩＢ  ＯｂｊｅｃｔＩＤに設定値を反映するためのＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＳＮＭＰのコミュニティのアクセスタイプ」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＳＮＭＰのコミュニティのアクセスタイプ」の設定に対応するＯｂｊｅｃｔＩＤに対して、設定入力部１０４で指定した値を設定することとなる。
【０１０８】
（第１８の実施の形態）
次に、第１８の実施の形態について説明する。
ネットワーク装置が持っている「ＳＮＭＰコミュニティのプロトコルタイプ」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第１８の実施の形態におけるネットワーク管理装置は、ネットワーク経由で、複数台のネットワーク装置に対して一括で設定変更を行うための手法を提供する。
【０１０９】
第１８の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＳＮＭＰコミュニティのプロトコルタイプ」を設定するためのＭＩＢ  ＯｂｊｅｃｔＩＤが存在し、ＰＣには、ネットワーク上に接続された機器を列挙するための機器列挙手段と、「ＳＮＭＰコミュニティのプロトコルタイプ」ＭＩＢ  ＯｂｊｅｃｔＩＤが機器に存在することを確認するためのＭＩＢ  ＯｂｊｅｃｔＩＤ存在確認手段と、「ＳＮＭＰコミュニティのプロトコルタイプ」設定値を入力させる設定値入力手段と、「ＳＮＭＰコミュニティのプロトコルタイプ」ＭＩＢ  ＯｂｊｅｃｔＩＤに設定値を反映するためのＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＳＮＭＰコミュニティのプロトコルタイプ」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＳＮＭＰコミュニティのプロトコルタイプ」の設定に対応するＯｂｊｅｃｔＩＤに対して、設定入力部１０４で指定した値を設定することとなる。
【０１１０】
（第１９の実施の形態）
次に、第１９の実施の形態について説明する。
ネットワーク装置が持っている「ホストのＩＰアドレス」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第１９の実施の形態におけるネットワーク管理装置は、ネットワーク経由で、複数台のネットワーク装置に対して一括で設定変更を行うための手法を提供する。
【０１１１】
第１９の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ホストのＩＰアドレス」を設定するためのＭＩＢ  ＯｂｊｅｃｔＩＤが存在し、ＰＣには、ネットワーク上に接続された機器を列挙するための機器列挙手段と、「ホストのＩＰアドレス」ＭＩＢ  ＯｂｊｅｃｔＩＤが機器に存在することを確認するためのＭＩＢ  ＯｂｊｅｃｔＩＤ存在確認手段と、「ホストのＩＰアドレス」設定値を入力させる設定値入力手段と、「ホストのＩＰアドレス」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ホストのＩＰアドレス」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ホストのＩＰアドレス」の設定に対応するＯｂｊｅｃｔＩＤに対して、設定入力部１０４で指定した値を設定することとなる。
【０１１２】
（第２０の実施の形態）
次に、第２０の実施の形態について説明する。
ネットワーク装置が持っている「ホストのＩＰＸアドレス」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第２０の実施の形態におけるネットワーク管理装置は、ネットワーク経由で、複数台のネットワーク装置に対して一括で設定変更を行うための手法を提供する。
【０１１３】
第２０の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ホストのＩＰＸアドレス」を設定するためのＭＩＢ  ＯｂｊｅｃｔＩＤが存在し、ＰＣには、ネットワーク上に接続された機器を列挙するための機器列挙手段と、「ホストのＩＰＸアドレス」ＭＩＢ  ＯｂｊｅｃｔＩＤが機器に存在することを確認するＭＩＢ  ＯｂｊｅｃｔＩＤ存在確認手段と、「ホストのＩＰＸアドレス」設定値を入力させる設定値入力手段と、「ホストのＩＰＸアドレス」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ホストのＩＰＸアドレス」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ホストのＩＰＸアドレス」の設定に対応するＯｂｊｅｃｔＩＤに対して、設定入力部１０４で指定した値を設定することとなる。
【０１１４】
（第２１の実施の形態）
次に、第２１の実施の形態について説明する。
ネットワーク装置が持っている「プリンタを所属させるＡｐｐｌｅＴａｌｋの動作ゾーン名」という設定は、ネットワーク経由でネットワーク管理装置（ＰＣ）から設定変更することが可能だが、複数台のネットワーク装置が存在した場合、１回の操作で、全てのネットワーク装置に対して同じ設定を行いたいという要望がある。
第２１の実施の形態におけるネットワーク管理装置は、ネットワーク経由で、複数台のネットワーク装置に対して一括で設定変更を行うための手法を提供する。
【０１１５】
第２１の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「プリンタを所属させるＡｐｐｌｅＴａｌｋの動作ゾーン名」を設定するためのＭＩＢ  ＯｂｊｅｃｔＩＤが存在し、ＰＣには、ネットワーク上に接続された機器を列挙するための機器列挙手段と、「プリンタを所属させるＡｐｐｌｅＴａｌｋの動作ゾーン名」ＭＩＢ  ＯｂｊｅｃｔＩＤが機器に存在することを確認するためのＭＩＢ  ＯｂｊｅｃｔＩＤ存在確認手段と、「プリンタを所属させるＡｐｐｌｅＴａｌｋの動作ゾーン名」設定値を入力させるための設定値入力手段と、「プリンタを所属させるＡｐｐｌｅＴａｌｋの動作ゾーン名」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「プリンタを所属させるＡｐｐｌｅＴａｌｋの動作ゾーン名」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「プリンタを所属させるＡｐｐｌｅＴａｌｋの動作ゾーン名」の設定に対応するＯｂｊｅｃｔＩＤに対して、設定入力部１０４で指定した値を設定することとなる。
【０１１６】
（第２２の実施の形態）
次に、第２２の実施の形態について説明する。
ネットワーク装置が持っている「プリンタの所属するＮｅｔＢＥＵＩワークグループ」という設定は、ネットワーク経由でＰＣから設定変更することが可能だが、複数台のネットワーク装置が存在した場合、１回の操作で、全てのネットワーク装置に対して同じ設定を行いたいという要望がある。
第２２の実施の形態におけるネットワーク管理装置は、ネットワーク経由で、複数台のネットワーク装置に対して一括で設定変更を行うための手法を提供する。
【０１１７】
第２２の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「プリンタの所属するＮｅｔＢＥＵＩワークグループ」を設定するためのＭＩＢ  ＯｂｊｅｃｔＩＤが存在し、ネットワーク上に接続された機器を列挙するための機器列挙手段と、「プリンタの所属するＮｅｔＢＥＵＩワークグループ」ＭＩＢ  ＯｂｊｅｃｔＩＤが機器に存在することを確認するためのＭＩＢ  ＯｂｊｅｃｔＩＤ存在確認手段と、「プリンタの所属するＮｅｔＢＥＵＩワークグループ」設定値を入力させる設定値入力手段と、「プリンタの所属するＮｅｔＢＥＵＩワークグループ」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「プリンタの所属するＮｅｔＢＥＵＩワークグループ」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「プリンタの所属するＮｅｔＢＥＵＩワークグループ」の設定に対応するＯｂｊｅｃｔＩＤに対して、設定入力部１０４で指定した値を設定することとなる。
【０１１８】
（第２３の実施の形態）
次に、第２３の実施の形態について説明する。
ネットワーク装置が持っている「ＮｅｔＢＥＵＩのインターフェースモード」という設定は、ネットワーク経由でネットワーク管理装置（ＰＣ）から設定変更することが可能だが、複数台のネットワーク管理装置が存在した場合、１回の操作で、全てのネットワーク装置に対して同じ設定を行いたいという要望がある。第２３の実施の形態におけるネットワーク管理装置は、ネットワーク経由で、複数台のネットワーク装置に対して一括で設定変更を行うための手法を提供する。
【０１１９】
第２３の実施の形態におけるネットワーク管理装置は、ＬＡＮ等のネットワークを介してＳＮＭＰ／ＭＩＢによる情報取得ができるプリンタとＰＣとが接続されたネットワークシステムにおいて、プリンタには「ＮｅｔＢＥＵＩのインターフェースモード」を設定するためのＭＩＢ  ＯｂｊｅｃｔＩＤが存在し、ＰＣには、ネットワーク上に接続された機器を列挙する機器列挙手段と、「ＮｅｔＢＥＵＩのインターフェースモード」ＭＩＢ  ＯｂｊｅｃｔＩＤが機器に存在することを確認するＭＩＢ  ＯｂｊｅｃｔＩＤ存在確認手段と、「ＮｅｔＢＥＵＩのインターフェースモード」設定値を入力させる設定値入力手段と、「ＮｅｔＢＥＵＩのインターフェースモード」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「ＮｅｔＢＥＵＩのインターフェースモード」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「ＮｅｔＢＥＵＩのインターフェースモード」の設定に対応するＯｂｊｅｃｔＩＤに対して、設定入力部１０４で指定した値を設定することとなる。
【０１２０】
（第２４の実施の形態）
次に、第２４の実施の形態について説明する。
ネットワーク装置が持っている「搭載されているトレイの紙種」という設定は、ネットワーク経由でネットワーク管理装置（ＰＣ）から設定変更することが可能だが、複数台のネットワーク装置が存在した場合、１回の操作で、全てのネットワーク装置に同じ設定を行いたいという要望がある。
第２４の実施の形態におけるネットワーク管理装置は、ネットワーク経由で、複数台のネットワーク装置に対して一括で設定変更を行うための手法を提供する。
【０１２１】
第２４の実施の形態におけるネットワーク管理装置は、ＬＡＮ経由でＳＮＭＰ／ＭＩＢによる情報取得ができるプリンタとＰＣとが接続されたネットワークシステムにおいて、プリンタには「搭載されているトレイの紙種」を設定するためのＭＩＢ  ＯｂｊｅｃｔＩＤが存在し、ＰＣには、ネットワーク上に接続された機器を列挙するための機器列挙手段と、「搭載されているトレイの紙種」ＭＩＢＯｂｊｅｃｔＩＤが機器に存在することを確認するＭＩＢ  ＯｂｊｅｃｔＩＤ存在確認手段と、「搭載されているトレイの紙種」設定値を入力させる設定値入力手段と、「搭載されているトレイの紙種」ＭＩＢ  ＯｂｊｅｃｔＩＤに設定値を反映するＭＩＢ  ＯｂｊｅｃｔＩＤ設定手段と、特定の処理手順を繰り返すバッチ処理手段と、を有して構成される。
これは、第１の実施の形態におけるＮｅｔｗａｒｅプロトコル有効／無効ＯｂｊｅｃｔＩＤ存在確認部１０２が、「搭載されているトレイの紙種」の設定に対応するＯｂｊｅｃｔＩＤが存在するか否かを判定することなり、Ｎｅｔｗａｒｅプロトコル有効／無効ＯｂｊｅｃｔＩＤ設定部１０５が、「搭載されているトレイの紙種」の設定に対応するＯｂｊｅｃｔＩＤに対して、設定入力部１０４で指定した値を設定することとなる。
【０１２２】
なお、上述する実施の形態は、本発明の好適な実施の形態であり、本発明の要旨を逸脱しない範囲内において種々変更実施が可能である。
例えば、上記第１から第２４の実施の形態において設定変更を行う各種のプロトコル等の細かい設定項目（Ｎｅｔｗａｒｅプロトコルを有効化するか否かの設定、ＡｐｐｌｅＴａｌｋプロトコルを有効化するか否かの設定、ＮｅｔＢＥＵＩプロトコルを有効化するか否かの設定、ＵＲＬ名称の設定、ＵＲＬの設定、機器操作部のメニューロックをするか否かの設定、ＴＣＰ／ＩＰのネットワークブートをするか否かの設定、ＷＩＮＳを有効化するか否かの設定、プライマリＷＩＮＳサーバーの設定、セカンダリＷＩＮＳサーバーの設定、ＬＰＲを有効化するか否かの設定、ＲＳＨ／ＲＣＰを有効化するか否かの設定、ＤＩＰＲＩＮＴを有効化するか否かの設定、ＦＴＰを有効化するか否かの設定、ＩＰＰを有効化するか否かの設定、ＳＮＭＰのコミュニティ名の設定、ＳＮＭＰコミュニティのアクセスタイプの設定、ＳＮＭＰコミュニティのプロトコルタイプの設定、ホストのＩＰアドレスの設定、ホストのＩＰＸアドレスの設定、プリンタを所属させるＡｐｐｌｅＴａｌｋの動作ゾーン名の設定、プリンタの所属するＮｅｔＢＥＵＩワークグループの設定、ＮｅｔＢＥＵＩのインターフェースモードの設定、搭載されているトレイの紙種の設定）を図４に示す画面上に表示し、設定変更することで全ての設定項目を一度の操作で一括設定することも可能である。この場合は、Ｏｂｊｅｃｔ  ＩＤと各設定項目とを１対１に対応して設定することとなる。
【０１２３】
また、ネットワーク上に接続されたデバイスを列挙して、Ｏｂｊｅｃｔ  ＩＤが存在するか否かを確認する確認処理は、設定項目の一括設定変更をする際に行うことも可能であり、また、一括設定変更前にあらかじめ行うことも可能である。例えば、ネットワーク管理装置に、所定時間を設定しておき、該設定した所定時間が経過することで確認処理を繰り返すようにすることも可能である。また、ネットワーク管理装置において、所定の操作が行われたと認識した際に、確認処理を行うように設定することも可能である。この確認処理をあらかじめ行うことで、設定項目の一括設定の変更処理を削減することが可能となる。
また、第１の実施の形態から第２４の実施の形態における処理をプログラムで実行させるようにすることも可能である。
【０１２４】
【発明の効果】
以上の説明より明らかなように本発明は以下のような効果を奏する。
ネットワーク上に接続された前記デバイスを列挙する機器列挙手段と、機器列挙手段により列挙された前記デバイスから、設定項目を設定するためのＯｂｊｅｃｔＩＤの存在を確認するＯｂｊｅｃｔＩＤ存在確認手段と、ＯｂｊｅｃｔＩＤ存在確認手段により存在が確認されたＯｂｊｅｃｔＩＤに対して、設定項目の設定値を入力するＯｂｊｅｃｔＩＤ入力手段と、ＯｂｊｅｃｔＩＤ入力手段により入力されたＯｂｊｅｃｔＩＤを前記デバイスに設定するＯｂｊｅｃｔＩＤ設定手段と、を有することで、ネットワークを介して接続された各デバイスの保持する各種プロトコル等の細かい設定項目に対して、１回の操作で一括設定を行うことが可能となり、ユーザの利便性の向上に寄与することとなる。
【図面の簡単な説明】
【図１】本発明にかかるネットワークシステムの構成を説明するためのブロック図である。
【図２】本発明にかかるネットワーク管理装置の構成を示すブロック図である。
【図３】本発明にかかるフォーマット例を示す図である。
【図４】本発明にかかるユーザインタフェースを説明するための図である。
【図５】本発明にかかるネットワーク管理装置からネットワーク装置に対して設定項目を設定するまでの処理動作を説明するためのフローチャートである。
【符号の説明】
１  ＰＣ
２1〜n  プリンタ
１０１  機器列挙部
１０２  Ｎｅｔｗａｒｅプロトコル有効／無効ＯｂｊｅｃｔＩＤ存在確認部
１０３  機器情報蓄積部
１０４  設定値入力部
１０５  Ｎｅｔｗａｒｅプロトコル有効／無効ＯｂｊｅｃｔＩＤ設定部
【図１】
2004213110.tif 000003
【図２】
2004213110.tif 000004
【図３】
2004213110.tif 000005
【図４】
2004213110.tif 000006
【図５】
2004213110.tif 000007